(57)【要約】      （修正有）【課題】ガスレンジのトッププレート上面の汚れを防止するのみならず、ガスレンジの周囲の汚れも効率よく防止することができるガスレンジ用トッププレート覆いを提供する。【解決手段】ガスレンジ用トッププレート覆い１０は、矩形シート状のトッププレート覆い部１１と、その後縁１３全域に折り曲げ自在に接続された矩形シート状の背面フラップ部１８と、トッププレート覆い部１１の左右側縁１４ａ、１４ｂ全域にそれぞれ折り曲げ自在に接続された矩形シート状の側面フラップ部１５ａ、１５ｂとを備える。設置時に、背面フラップ部は、その左右側縁２４ａ、２４ｂ全域の各々に折り曲げ自在に接続された左右余剰フラップ部２５ａ、２５ｂと、背面フラップ部１８及び左右余剰フラップ部２５ａ、２５ｂの上縁全域に一体的に折り曲げ自在に接続された上方フラップ部３８とを、背面フラップ部１８の裏面側に折り返すことで形成される。【選択図】図１
2019045030.tif 000002
【特許請求の範囲】
【請求項１】
据置型のガスレンジのトッププレートを覆うための可撓性を有するシート状のガスレンジ用トッププレート覆いであって、
前記トッププレートの上面を覆うことができる矩形シート状のトッププレート覆い部と、
前記トッププレート覆い部の後縁全域に折り曲げ自在に接続された矩形シート状の背面フラップ部とを備えた、ガスレンジ用トッププレート覆い。
【請求項２】
前記トッププレート覆い部の右側縁全域及び左側縁全域の少なくとも一方に折り曲げ自在に接続された矩形シート状の側面フラップ部を更に備えた、請求項１記載のガスレンジ用トッププレート覆い。
【請求項３】
前記背面フラップ部の左右側縁の各々には、更に左右余剰フラップ部の各々が折り曲げ自在に接続され、
設置時には、前記背面フラップ部は、前記左右余剰フラップ部の各々が前記背面フラップ部の裏面側に折り返されて形成されている、請求項２記載のガスレンジ用トッププレート覆い。
【請求項４】
前記左右余剰フラップ部の各々は、前記背面フラップ部の左右側縁の各々の全域に接続される矩形シート形状を有し、その左右外縁は前記トッププレート覆い部の両側に形成された前記側面フラップ部の左右外縁に整列し、その上縁は前記背面フラップ部の上縁に整列する、請求項３記載のガスレンジ用トッププレート覆い。
【請求項５】
前記背面フラップ部の上縁の全域と、折り返される前の前記左右余剰フラップ部の上縁の全域とに一体的に折り曲げ自在に接続された矩形シート状の上方フラップ部を更に備え、
前記背面フラップ部は、前記上方フラップ部が裏面側に折り返された後に、前記左右余剰フラップ部は前記上方フラップ部の一部と共に裏面側に折り返されて形成されている、請求項４記載のガスレンジ用トッププレート覆い。
【請求項６】
前記背面フラップ部の上縁の全域と、折り返される前の前記左右余剰フラップ部の上縁の全域とに一体的に折り曲げ自在に接続された矩形シート状の上方フラップ部を更に備え、
前記背面フラップ部は、前記左右余剰フラップ部が裏面側に折り返された後に、前記上方フラップ部は前記左右余剰フラップ部の一部と共に裏面側に折り返されて形成されている、請求項４記載のガスレンジ用トッププレート覆い。
【請求項７】
前記側面フラップ部は、その各々の裏面側の少なくとも一箇所に、設置時において前記側面フラップ部と前記ガスレンジの横側に位置する壁面又は調理台の一部とを固定することができる固定手段を更に備えた、請求項２から請求項６のいずれかに記載のガスレンジ用トッププレート覆い。
【請求項８】
前記背面フラップ部は、その裏面側の少なくとも一箇所に、設置時において前記背面フラップ部と前記ガスレンジの奥側に位置する壁面の一部とを固定することができる固定手段を更に備えた、請求項１から請求項７のいずれかに記載のガスレンジ用トッププレート覆い。
【請求項９】
前記ガスレンジの後方にはグリル排気口が形成されており、
前記トッププレート覆い部には、平面投影視において設置時の前記グリル排気口の外縁内に含まれる貫通口が形成される、請求項１から請求項８のいずれかに記載のガスレンジ用トッププレート覆い。
【発明の詳細な説明】
【技術分野】
【０００１】
この発明はガスレンジ用トッププレート覆いに関し、特に、据置型のガスレンジのトッププレートを覆うためのガスレンジ用トッププレート覆いに関するものである。
【背景技術】
【０００２】
従来、据置型のガスレンジのトッププレートを覆うためのガスレンジ用トッププレート覆いは、種々提案されている（例えば、特許文献１）。
【０００３】
図１０は、従来のガスレンジ用トッププレート覆いを示す概略表面図であり、図１１は、図１０で示したガスレンジ用トッププレート覆いのＸＩ−ＸＩラインの拡大概略断面図である。
【０００４】
これらの図を参照して、ガスレンジ用トッププレート覆い７０は、不燃紙８５の両面にアルミニウム箔８４ａ、８４ｂを貼り合わせた可撓性を有するシート状のものである。ガスレンジ用トッププレート覆い７０は、表面視略凹形状のトッププレート覆い部７１と、トッププレート覆い部７１の左側縁７４ａ全域及び右側縁７４ｂ全域の各々に折り曲げ自在に接続された矩形シート状の外方部分７５ａ、７５ｂとから構成されている。
【０００５】
又、トッププレート覆い部７１の後縁７３の凹み部８２には、２つの切り欠き部７６ａ、７６ｂが設けられている。この切り欠き部７６ａ、７６ｂの各々に沿って切れ目を入れることで、罫線７７を介して折り曲げ自在となる矩形状の外方部分７８が形成される。
【０００６】
更に、トッププレート覆い部７１には、後述するガスレンジのバーナー部に対応する位置に２つの円形の開口７９ａ、７９ｂが横並びに形成されている。
【０００７】
使用時における各部分の役割については後述する。
【０００８】
図１２は、図１０で示したガスレンジ用トッププレート覆いをガスレンジに設置する際の状態を示す概略斜視図である。
【０００９】
図を参照して、ガスレンジ９０は、平面状のトッププレート９１の上面に横並びの二口の略円形状のバーナー部９９ａ、９９ｂと、その後方に略矩形状のグリル排気口９６とを有するものである。ガスレンジ用トッププレート覆い７０をガスレンジ９０に設置する際には、ガスレンジ用トッププレート覆い７０のトッププレート覆い部７１がガスレンジ９０のトッププレート９１を覆うようにして載置する。その際、トッププレート覆い部７１の前縁７２、後縁７３の両翼部８３ａ、８３ｂ、左側縁７４ａ及び右側縁７４ｂの各々が、ガスレンジ９０の前縁９２、後縁９３、左側縁９４ａ及び右側縁９４ｂの各々に対応する向きに取り付ける。すると、トッププレート覆い部７１の後縁７３は凹み部８２を有しているので、ガスレンジ９０のグリル排気口９６を避けるようにガスレンジ用トッププレート覆い７０を設置できる。又、トッププレート覆い部７１の開口７９ａ、７９ｂの位置は、ガスレンジ９０のバーナー部９９ａ、９９ｂの位置にそれぞれ対応しているため、トッププレート覆い部７１がバーナー部９９ａ、９９ｂを塞がないようにガスレンジ用トッププレート覆い７０を設置できる。更に、トッププレート覆い部７１の外方部分７５ａ、７５ｂの各々を左側縁７４ａ及び右側縁７４ｂを介して下方に折り曲げる。すると、トッププレート９１の左側縁９４ａ及び右側縁９４ｂまで覆うことができる。更に、トッププレート覆い部７１の後縁７３の凹み部８２の切り欠き部７６ａ、７６ｂの各々を、トッププレート覆い部７１から切り離して外方部分７８を上方に折り曲げると、グリル排気口９６をガスレンジ９０から仕切ることが可能となる。
【００１０】
このように設置したガスレンジ用トッププレート覆い７０は、トッププレート覆い部７１によって、調理時等におけるガスレンジ９０のトッププレート９１の上面の汚れが防止される。
【先行技術文献】
【特許文献】
【００１１】
【特許文献１】意匠登録第１４６８０２６号公報
【発明の概要】
【発明が解決しようとする課題】
【００１２】
上記のような、ガスレンジ用トッププレート覆い７０は、表面がアルミニウム箔８４ａ、８４ｂで覆われたシート形状であるため、調理時等にトッププレート覆い部７１に汚れが飛び散ったとしても、ふき取りなどが容易である。又、汚れが酷くなった時も交換しやすく使い勝手がよい。しかしながら、調理時等には火加減等の都合から、意図せず水分や油、食材片等がガスレンジ用トッププレート覆い７０のトッププレート覆い部７１を超えて外方に飛び散ることがある。すると、次のような問題が生じる。
【００１３】
図１３は、図１０で示したガスレンジ用トッププレート覆いの使用状態を示す概略斜視図である。
【００１４】
図を参照して、ガスレンジ用トッププレート覆い７０のトッププレート覆い部７１はガスレンジ９０のトッププレート９１のほぼ全面を覆う構成ではあるが、一重斜線で表した部分はトッププレート９１の上面が露出した状態である。
【００１５】
又、据置型のガスコンロは、基本的に周囲を図示しない壁面や調理台で囲まれたガスレンジ台１００に載置して使用するものであるが、そのガスレンジ台１００の二重斜線で表した部分も露出した状態であることが一般的である。
【００１６】
すると、調理時に意図せずにガスレンジ用トッププレート覆い７０のトッププレート覆い部７１の外方に飛び散った水分や油、食材片等によって、それら露出した部位は汚れてしまうことがある。すると、特に二重斜線で表した露出部分は、一般的にガスレンジ台１００の図示しない壁面や図示しない調理台等に挟まれているため清掃作業が行いづらいものであった。又、これらの汚れを防止するために、例えば調理台との隙間を埋めるためのテープ状の製品や、ガスレンジの下に予め敷いておくシート状のカバー等も存在するが、部位に合わせて別々の製品を取り付けるのは手間が掛かるものであった。
【００１７】
この発明は、上記のような課題を解決するためになされたもので、ガスレンジのトッププレート上面の汚れを防止するのみならず、ガスレンジの周囲の汚れも効率よく防止することができるガスレンジ用トッププレート覆いを提供することを目的とする。
【課題を解決するための手段】
【００１８】
上記の目的を達成するために、請求項１記載の発明は、据置型のガスレンジのトッププレートを覆うための可撓性を有するシート状のガスレンジ用トッププレート覆いであって、トッププレートの上面を覆うことができる矩形シート状のトッププレート覆い部と、トッププレート覆い部の後縁全域に折り曲げ自在に接続された矩形シート状の背面フラップ部とを備えたものである。
【００１９】
このように構成すると、ガスレンジのトッププレートの奥側への汚れが背面フラップ部によって均一に保護される。
【００２０】
請求項２記載の発明は、請求項１記載の発明の構成において、トッププレート覆い部の右側縁全域及び左側縁全域の少なくとも一方に折り曲げ自在に接続された矩形シート状の側面フラップ部を更に備えたものである。
【００２１】
このように構成すると、ガスレンジのトッププレートの左右側への少なくとも一方の汚れが側面フラップ部によって均一に保護される。
【００２２】
請求項３記載の発明は、請求項２記載の発明の構成において、背面フラップ部の左右側縁の各々には、更に左右余剰フラップ部の各々が折り曲げ自在に接続され、設置時には、背面フラップ部は、左右余剰フラップ部の各々が背面フラップ部の裏面側に折り返されて形成されているものである。
【００２３】
このように構成すると、背面フラップ部の左右側縁の折り曲げ剛性が向上する。
【００２４】
請求項４記載の発明は、請求項３記載の発明の構成において、左右余剰フラップ部の各々は、背面フラップ部の左右側縁の各々の全域に接続される矩形シート形状を有し、その左右外縁はトッププレート覆い部の両側に形成された側面フラップ部の左右外縁に整列し、その上縁は背面フラップ部の上縁に整列するものである。
【００２５】
このように構成すると、ガスレンジ用トッププレート覆い全体の外縁が矩形形状となる。
【００２６】
請求項５記載の発明は、請求項４記載の発明の構成において、背面フラップ部の上縁の全域と、折り返される前の左右余剰フラップ部の上縁の全域とに一体的に折り曲げ自在に接続された矩形シート状の上方フラップ部を更に備え、背面フラップ部は、上方フラップ部が裏面側に折り返された後に、左右余剰フラップ部は上方フラップ部の一部と共に裏面側に折り返されて形成されているものである。
【００２７】
このように構成すると、背面フラップ部の上縁の曲げ剛性が向上する。
【００２８】
請求項６記載の発明は、請求項４記載の発明の構成において、背面フラップ部の上縁の全域と、折り返される前の左右余剰フラップ部の上縁の全域とに一体的に折り曲げ自在に接続された矩形シート状の上方フラップ部を更に備え、背面フラップ部は、左右余剰フラップ部が裏面側に折り返された後に、上方フラップ部は左右余剰フラップ部の一部と共に裏面側に折り返されて形成されているものである。
【００２９】
このように構成すると、背面フラップ部の上縁の曲げ剛性が向上する。
【００３０】
請求項７記載の発明は、請求項２から請求項６のいずれかに記載の発明の構成において、側面フラップ部は、その各々の裏面側の少なくとも一箇所に、設置時において側面フラップ部とガスレンジの横側に位置する壁面又は調理台の一部とを固定することができる固定手段を更に備えたものである。
【００３１】
このように構成すると、側面フラップ部のトッププレート覆い部側への倒れやズレを防止できる。
【００３２】
請求項８記載の発明は、請求項１から請求項７のいずれかに記載の発明の構成において、背面フラップ部は、その裏面側の少なくとも一箇所に、設置時において背面フラップ部とガスレンジの奥側に位置する壁面の一部とを固定することができる固定手段を更に備えたものである。
【００３３】
このように構成すると、背面フラップ部のトッププレート覆い部側への倒れやズレを防止できる。
【００３４】
請求項９記載の発明は、請求項１から請求項８のいずれかに記載の発明の構成において、ガスレンジの後方にはグリル排気口が形成されており、トッププレート覆い部には、平面投影視において設置時のグリル排気口の外縁内に含まれる貫通口が形成されるものである。
【００３５】
このように構成すると、設置時に貫通口を介してグリル排気口を目視できる。
【発明の効果】
【００３６】
以上説明したように、請求項１記載の発明は、ガスレンジのトッププレートの奥側への汚れが背面フラップ部によって均一に保護されるため、奥側の汚れ防止効果が向上する。
【００３７】
請求項２記載の発明は、請求項１記載の発明の効果に加えて、ガスレンジのトッププレートの左右側への少なくとも一方の汚れが側面フラップ部によって均一に保護されるため、左右側への少なくとも一方の汚れ防止効果が向上する。
【００３８】
請求項３記載の発明は、請求項２記載の発明の効果に加えて、背面フラップ部の左右側縁の折り曲げ剛性が向上するため、背面フラップ部の形態保持性が高まり、設置しやすくなる。
【００３９】
請求項４記載の発明は、請求項３記載の発明の効果に加えて、ガスレンジ用トッププレート覆い全体の外縁が矩形形状となるため、製品の歩留まりが向上する。
【００４０】
請求項５記載の発明は、請求項４記載の発明の効果に加えて、背面フラップ部の上縁の曲げ剛性が向上するため、背面フラップ部の形態保持性がより高まり、更に設置しやすくなる。
【００４１】
請求項６記載の発明は、請求項４記載の発明の効果に加えて、背面フラップ部の上縁の曲げ剛性が向上するため、背面フラップ部の形態保持性がより高まり、更に設置しやすくなる。
【００４２】
請求項７記載の発明は、請求項２から請求項６のいずれかに記載の発明の効果に加えて、側面フラップ部のトッププレート覆い部側への倒れやズレを防止できるため、左右側への少なくとも一方の汚れ防止効果を維持しやすくなる。
【００４３】
請求項８記載の発明は、請求項１から請求項７のいずれかに記載の発明の効果に加えて、背面フラップ部のトッププレート覆い部側への倒れやズレを防止できるため、奥側への汚れ防止効果を維持しやすくなる。
【００４４】
請求項９記載の発明は、請求項１から請求項８のいずれかに記載の発明の効果に加えて、設置時に貫通口を介してグリル排気口を目視できるため、グリル排気口の外縁に沿った開口の形成の目印となる。
【図面の簡単な説明】
【００４５】
【図１】この発明の第１の実施の形態によるガスレンジ用トッププレート覆いを示す概略表面図である。
【図２】図１で示したガスレンジ用トッププレート覆いの使用状態を示す概略斜視図である。
【図３】図１で示したガスレンジ用トッププレート覆いの背面フラップ部と側面フラップ部とをやや上方に折り曲げた状態を示す概略拡大斜視図である。
【図４】図１で示したガスレンジ用トッププレート覆いを裏面側から見た図であって、上方フラップ部と左右余剰フラップ部とを折り曲げる工程を示す模式図である。
【図５】図４で示した工程で上方フラップ部と左右余剰フラップ部とを折り曲げた後のガスレンジ用トッププレート覆いの概略表面図である。
【図６】図５で示したガスレンジ用トッププレート覆いをガスレンジに設置する際の状態を示す概略斜視図である。
【図７】図１で示したガスレンジ用トッププレート覆いを表面側から見た図であって、貫通口を利用した加工工程を示す模式図である。
【図８】この発明の第２の実施の形態によるガスレンジ用トッププレート覆いを示す概略表面図であって、図１に対応する図である。
【図９】図８で示したガスレンジ用トッププレート覆いの背面フラップ部の各々を立ち上げた状態を示すＩＸ−ＩＸラインの矢視図である。
【図１０】従来のガスレンジ用トッププレート覆いを示す概略表面図である。
【図１１】図１０で示したガスレンジ用トッププレート覆いのＸＩ−ＸＩラインの拡大概略断面図である。
【図１２】図１０で示したガスレンジ用トッププレート覆いをガスレンジに設置する際の状態を示す概略斜視図である。
【図１３】図１０で示したガスレンジ用トッププレート覆いの使用状態を示す概略斜視図である。
【発明を実施するための形態】
【００４６】
図１は、この発明の第１の実施の形態によるガスレンジ用トッププレート覆いを示す概略表面図であり、図２は、図１で示したガスレンジ用トッププレート覆いの使用状態を示す概略斜視図である。
【００４７】
この実施の形態によるガスレンジ用トッププレート覆い１０を設置するガスレンジ９０とガスレンジ９０が載置されているガスレンジ台１００とは、従来のものと同様であるためここでの説明は繰り返さない。
【００４８】
これらの図を参照して、この実施の形態によるガスレンジ用トッププレート覆い１０は、従来のものと同様、不燃紙の両面にアルミニウム箔を貼り合わせた可撓性及び保形性を有する1枚のシート状のものより形成されるものである。
【００４９】
ガスレンジ用トッププレート覆い１０は、ガスレンジ９０のトッププレート９１の上面を覆うことができる矩形シート状のトッププレート覆い部１１と、トッププレート覆い部１１の後縁１３全域に形成された罫線４３を介して、トッププレート覆い部１１の後縁１３全域に折り曲げ自在に接続された矩形シート状の背面フラップ部１８とを備えている。
【００５０】
この背面フラップ部１８の前後方向の高さＨは特に規定しないが、ガスレンジ９０とガスレンジ台１００との一般的な設置位置の関係から８．５ｃｍ程度であるのが好ましい。短すぎるとガスレンジの奥側の汚れを防止する効果が低下し、長すぎると保形性が弱まり、設置時にバーナー部９９ａ、９９ｂ側に倒れこんでしまう危険性があるためである。
【００５１】
又、ガスレンジ用トッププレート覆い１０は、トッププレート覆い部１１の左側縁１４ａ全域及び右側縁１４ｂ全域に形成された罫線４４ａ、４４ｂを介して、トッププレート覆い部１１の左側縁１４ａ全域及び右側縁１４ｂ全域にそれぞれ折り曲げ自在に接続された矩形シート状の側面フラップ部１５ａ、１５ｂを備えている。
【００５２】
この側面フラップ部１５ａ、１５ｂのそれぞれの横方向の幅Ｗ１、Ｗ２は特に規定しないが、ガスレンジ９０とガスレンジ台１００との一般的な設置位置の関係から３ｃｍ程度であるのが好ましい。短すぎると汚れを防止する効果が低下し、長すぎると保形性が弱まり、設置時にバーナー部９９ａ、９９ｂ側に倒れこんでしまう危険性があるためである。
【００５３】
更に、背面フラップ部１８の左右側縁２４ａ、２４ｂの各々の全域には、矩形シート形状の左右余剰フラップ部２５ａ、２５ｂの各々が、左側縁１４ａ全域及び右側縁１４ｂ全域に形成された罫線４５ａ、４５ｂを介して、折り曲げ自在に接続されている。又、左右余剰フラップ部２５ａ、２５ｂの各々の左右外縁２６ａ、２６ｂはトッププレート覆い部１１の両側に形成された側面フラップ部１５ａ、１５ｂの左右外縁１６ａ、１６ｂに整列し、左右余剰フラップ部２５ａ、２５ｂの上縁２８ａ、２８ｂは背面フラップ部１８の上縁２３に整列するように形成されている。
【００５４】
更に、背面フラップ部１８の上縁２３の全域と、左右余剰フラップ部２５ａ、２５ｂの上縁２８ａ、２８ｂの全域に対応する位置には罫線４６が形成され、その罫線４６を介して、左右余剰フラップ部２５ａ、２５ｂの上縁２８ａ、２８ｂの全域に一体的に折り曲げ自在に接続された矩形シート状の上方フラップ部３８を備えている。
【００５５】
このように構成すると、ガスレンジ用トッププレート覆い１０全体の外縁が矩形形状となるため、製品の歩留まりが向上する。
【００５６】
尚、設置時には、背面フラップ部１８は、左右余剰フラップ部２５ａ、２５ｂの各々と上方フラップ部３８が背面フラップ部１８の裏面側に折り返されて形成されているものであるが、その詳細については後述する。
【００５７】
更に、詳細は後述するが、トッププレート覆い部１１には、設置するガスレンジ９０の後方に形成されたグリル排気口９６に対応する位置に横長楕円形状の貫通口３９が形成されている。
【００５８】
更に、側面フラップ部１５ａ、１５ｂは、その各々の裏面側に、設置時において側面フラップ部１５ａ、１５ｂとガスレンジ９０の右側に位置する壁面１０４又は左側に位置する調理台１０５の一部とを固定することができる固定手段である両面テープ３５ａ〜３５ｆを更に備えている。
【００５９】
更に、背面フラップ部１８は、その裏面側に、設置時において背面フラップ部１８とガスレンジ９０の奥側に位置する壁面１０３の一部とを固定することができる固定手段である両面テープ３６を更に備えている。
【００６０】
更に、トッププレート覆い部１１には、設置するガスレンジ９０のバーナー部９９ａ、９９ｂに対応する位置に２つの円形状の開口１９ａ、１９ｂが形成されている。この開口１９ａ、１９ｂの周縁形状は、バーナー部９９ａ、９９ｂの周縁形状に対応するように形成されているのが望ましい。
【００６１】
図３は、図１で示したガスレンジ用トッププレート覆いの背面フラップ部と側面フラップ部とをやや上方に折り曲げた状態を示す概略拡大斜視図である。
【００６２】
尚、右側部分は左側部分と対称であるため、図では右側部分を省略し、左側部分のみについて説明する。
【００６３】
図を参照して、ガスレンジ用トッププレート覆い１０のトッププレート覆い部１１と折り曲げ自在に接続された背面フラップ部１８及び側面フラップ部１５ａの各々は、その保形性により設置するガスレンジに合わせて、トッププレート覆い部１１の後縁１３に対応する罫線４３と、左側縁１４ａに対応する罫線４４ａとに沿って、矢印の方向に適切な角度に立ち上げ、その状態を保持することができる。すると、調理時に飛び散る水分、油及び食材片等を受け止めやすくなり、ガスレンジの奥側や左側への汚れをより効果的に防止することができる。
【００６４】
このように、ガスレンジ用トッププレート覆い１０は、設置するガスレンジに合わせて背面フラップ部１８と側面フラップ１５ａ、１５ｂの角度を単純に調整したものを設置して使用することもできるが、より好ましくは次のような方法で設置して使用するのがよい。
【００６５】
まず、背面フラップ部１８を設置時の状態に形成する。
【００６６】
図４は、図１で示したガスレンジ用トッププレート覆いを裏面側から見た図であって、上方フラップ部と左右余剰フラップ部とを折り曲げる工程を示す模式図であり、（１）は、上方フラップ部を折り曲げる工程を示す図であり、（２）は左右余剰フラップ部を折り曲げる工程を示す図である。又、図５は、図４で示した工程で上方フラップ部と左右余剰フラップ部とを折り曲げた後のガスレンジ用トッププレート覆いの概略表面図である。
【００６７】
図４の（１）を参照して、上方フラップ部３８を背面フラップ部１８の上縁２３に対応して形成された罫線に沿って、矢印で示す方向に、裏面側に折り返す。
【００６８】
こうすることで、背面フラップ部１８の上縁２３の曲げ剛性が向上するため、背面フラップ部１８の形態保持性が高まり、ガスレンジ用トッププレート覆い１０を設置しやすくなる。
【００６９】
その後、図４の（２）を参照して、左右余剰フラップ部２５ａ、２５ｂの各々を背面フラップ部１８の左右側縁２４ａ、２４ｂに対応して形成された罫線に沿って、上方フラップ部３８の一部と共に、矢印で示す方向に、背面フラップ部１８の裏面側に折り返す。この際、固定手段である両面テープ３４ａ、３４ｂを用いて、左右側縁２４ａ、２４ｂを背面フラップ部１８の裏面側に固定する。このようにして、背面フラップ部１８は形成される。
【００７０】
こうすることで、背面フラップ部１８の左右側縁２４ａ、２４ｂの折り曲げ剛性が向上するため、背面フラップ部１８の形態保持性がより高まり、ガスレンジ用トッププレート覆い１０を更に設置しやすくなる。
【００７１】
図５を参照して、上述のように背面フラップ部１８が形成されたガスレンジ用トッププレート覆い１０は、その外縁が表面視略凸型形状となる。このガスレンジ用トッププレート覆い１０を次のように設置する。
【００７２】
図６は、図５で示したガスレンジ用トッププレート覆いをガスレンジに設置する際の状態を示す概略斜視図である。
【００７３】
図を参照して、従来のガスレンジ用トッププレート覆いと同様に、ガスレンジ９０のトッププレート９１にガスレンジ用トッププレート覆い１０のトッププレート覆い部１１を載置する。その際、トッププレート覆い部１１の前縁１２、後縁１３、左側縁１４ａ及び右側縁１４ｂの各々が、ガスレンジ９０のトッププレート９１の前縁９２、後縁９３、左側縁９４ａ及び右側縁９４ｂの各々に対応するように取り付ける。
【００７４】
この時、図示はしていないが、トッププレート覆い部１１の裏面のコーナー部等に両面テープ等を貼付したものをトッププレート９１に取り付けるようにしてもよい。すると、トッププレート９１とトッププレート覆い部１１とが固定され、ガスレンジ用トッププレート覆い１０の設置状態が安定する。
【００７５】
こうして、ガスレンジ用トッププレート覆い１０の背面フラップ部１８はガスレンジ９０の奥側を、側面フラップ部１５ａはガスレンジ９０の左側を、又、側面フラップ１５ｂは、ガスレンジ９０の右側をそれぞれ一体的に覆うことになる。
【００７６】
尚、上述したように、ガスレンジ用トッププレート覆い１０のトッププレート覆い部１１と、それに接続される背面フラップ部１８及び側面フラップ部１５ａ、１５ｂとは、それぞれ矩形状である。そのため、各部の各々の前後左右の長さが一定となり、ガスレンジ９０に設置した際に、従来の略凹形状のものと比べて隙間が生じにくく、該当する部分を均一に覆うことができるものとなっている。
【００７７】
これにより、ガスレンジ９０のトッププレート９１の奥側への汚れは、一定奥行幅の矩形シート状の背面フラップ部１８によって均一に保護されるため、奥側の汚れ防止効果が向上する。又、ガスレンジ９０のトッププレート９１の左右側への汚れは、一定横幅の矩形シート状の側面フラップ部１５ａ、１５ｂによって均一に保護されるため、左右側への汚れ防止効果が向上する。
【００７８】
更に、トッププレート覆い部１１の開口１９ａ、１９ｂの位置は、ガスレンジ９０のバーナー部９９ａ、９９ｂの位置にそれぞれ対応している。そのため、トッププレート覆い部１１がバーナー部９９ａ、９９ｂを塞がないようにガスレンジ用トッププレート覆い１０を設置できる。又、開口１９ａ、１９ｂの周縁形状とバーナー部９９ａ、９９ｂの周縁形状とが一致するので、バーナー部９９ａ、９９ｂの周縁ぎりぎりまでトッププレート覆い部１１が覆うことができる。
【００７９】
もし、バーナー部９９ａ、９９ｂの周形状と開口１９ａ、１９ｂの周形状とが合わない場合には、プラスチック製ナイフ等を用いて開口１９ａ、１９ｂの周囲を切り取ることで、開口１９ａ、１９ｂの形状をバーナー部９９ａ、９９ｂの周形状に合わせて調整することもできる。
【００８０】
更に、貫通口３９は、トッププレート９１の後方に設けられたグリル排気口９６の上面に位置する。この時点では、グリル排気口９６の一部が貫通口３９を通して目視できる状態である。
【００８１】
次に、この貫通口３９を利用した加工方法について説明する。
【００８２】
図７は、図１で示したガスレンジ用トッププレート覆いを表面側から見た図であって、貫通口を利用した加工工程を示す模式図であり、（１）は加工途中の状態を示す図であり、（２）は加工後の状態を示す図である。
【００８３】
図の（１）を参照して、ガスレンジ用トッププレート覆い１０のトッププレート覆い部１１に設けられた横長楕円形状の貫通口３９は、上述したように、図６で示した設置状態においてその全体が平面投影視において、ガスレンジ９０のトッププレート９１の後方に形成されたグリル排気口９６の外縁９７内に含まれるように形成されている。そのため、設置時において貫通口３９はグリル排気口９６の上面に位置することになる。
【００８４】
このように構成すると、設置時に貫通口３９を介してグリル排気口９６を目視できるため、グリル排気口９６の外縁９７に沿った開口４９の形成の目印となる。
【００８５】
貫通口３９から開口４９を形成するにあたっては、引き続き図の（１）を参照して、グリル排気口９６の外縁９７に沿ってガスレンジ用トッププレート覆い１１を押さえながら、貫通口３９の周囲にプラスチック製ナイフ等で切れ目を入れ、矢印の方向に切り離していく。
【００８６】
次に、図の（２）を参照して、貫通口３９の周囲を全て切り離すと、グリル排気口９６の外縁９７の形状に合わせた開口４９が形成できる。このように形成された開口４９からはグリル排気口９６のみが露出し、トッププレート覆い部１１とグリル排気口９６との間には、ほとんど隙間が生じないことになる。そのため、従来のガスレンジ用トッププレート覆いを使用した場合には露出していたグリル排気口９６周りの汚れが防止できる。
【００８７】
ここで、図２を再度参照して、このように設置したガスレンジ用トッププレート覆い１０のトッププレート覆い部１１は、トッププレート覆いのバーナー部９９ａ、９９ｂとグリル排気口９６を除く全域を覆うことができる。
【００８８】
この状態で、ガスレンジの横側を覆うように側面フラップ１５ａ、１５ｂの角度をそれぞれ調整する。そして、側面フラップ部１５ａ、１５ｂの裏面の両面テープ３５ａ〜３５ｆ（図１参照）で、左側の側面フラップ部１５ａとガスレンジ９０の左側に位置する調理台１０５の上面の一部とを、又、右側の側面フラップ部１５ｂとガスレンジ９０の右側に位置する壁面１０４の一部とを固定する。
【００８９】
すると、側面フラップ部１５ａ、１５ｂのトッププレート覆い部１１側への倒れやズレを防止できるため、ガスレンジ用トッププレート覆い１０の左右側への汚れ防止効果を維持しやすくなる。
【００９０】
又、ガスレンジ９０の設置位置の関係で、側面フラップ部１５ａ、１５ｂの各々を調理台１０５又は壁面１０４に固定できないこともある。この場合であっても、側面フラップ部１５ａ、１５ｂはその保形性により、折り曲げて調整した角度を維持できるため、ガスレンジ用トッププレート覆い１０の左右側への汚れを防止できる。
【００９１】
又、ガスレンジの奥側を覆うように背面フラップ１８の角度を調整する。そして、背面フラップ部１８の裏面の両面テープ３６（図１参照）で、背面フラップ部１８とガスレンジ９０の奥側に位置する壁面１０３の一部とを固定する。
【００９２】
このとき、図４の（１）及び（２）で示した固定手段である両面テープ３４ａ、３４ｂを用いて左右余剰フラップ部２５ａ、２５ｂを背面フラップ部１８の裏面側に固定することに代えて、この両面テープ３４ａ、３４ｂを、背面フラップ部１８の裏面の両面テープ３６（図１参照）と共に又は代わりに用いて、背面フラップ部１８とガスレンジ９０の奥側に位置する壁面１０３の一部とを固定することもできる。
【００９３】
これらの場合、背面フラップ部１８のトッププレート覆い部１１側への倒れやズレを防止できるため、ガスレンジ用トッププレート覆い１０の奥側への汚れ防止効果を維持しやすくなる。又、ガスレンジ９０の奥側には、一般的に図示しないガス管やガスの元栓等があることが多い。前述のように背面フラップ部１８と壁面１０３の一部とを固定した場合には、背面フラップ１８がガス管やガスの元栓等も覆うことができ、それらへの汚れの付着を防止することができる。又、ガスの元栓の開閉操作を行う時には、ガスレンジ用トッププレート覆い１０全体を取り外す必要がなく、背面フラップ部１８と壁面１０３の一部との固定の解除のみを行い背面フラップ部１８を手前に立ち上げれば、それにより生じた空間に手を入れて開閉操作ができるので使い勝手がよい。
【００９４】
又、ガスレンジ９０の設置位置の関係で、背面フラップ部１８を壁面１０３に固定できないこともある。この場合であっても、背面フラップ部１８はその保形性により、折り曲げて調整した角度を維持できるため、ガスレンジ用トッププレート覆い１０の奥側への汚れを防止できる。加えて、固定する場合と同様に、背面フラップ部１８を手前に立ち上げることで、図示しないガスの元栓の開閉操作を容易に行うことができるので、使い勝手がよい。
【００９５】
これにより、ガスレンジ用トッププレート覆い１０の設置が完了する。
【００９６】
図８は、この発明の第２の実施の形態によるガスレンジ用トッププレート覆いを示す概略表面図であって、図１に対応する図である。
【００９７】
尚、この実施の形態によるガスレンジ用トッププレート覆い１０の構成は、基本的には第１の実施の形態と同様であるため、ここでの説明は繰り返さず、その相違点を中心に説明する。
【００９８】
これらの図を参照して、この実施の形態におけるガスレンジ用トッププレート覆い１０のトッププレート覆い部１１の後縁１３は、第１の実施の形態のものと異なり、左右側縁１４ａ、１４ｂに対して垂直ではなく、後縁１３の左右端部からトッププレート覆い部１１の後縁１３の中心位置Ｃに向かって後方に角度θ分傾斜している直線で形成された山形状のものである。このように構成した理由については後述する。背面フラップ部１８には、トッププレート覆い部１１の後縁１３の中心位置Ｃから上方フラップ部３８までを垂直方向に通る直線のスリット２１が形成されている。このスリット２１によって、背面フラップ部１８は左右対称の左背面フラップ部４８ａと右背面フラップ部４８ｂとに分割されている。
【００９９】
すると、背面フラップ部１８は、左背面フラップ部４８ａと右背面フラップ部４８ｂとの各々を必要に応じて別々に立ち上げたり倒したりすることができる。
【０１００】
このような場合、例えば、図示しないガスレンジのガスの元栓は、ガスレンジの奥側にあることが多いが、ガスの元栓を開閉等する際に、その位置に応じて左背面フラップ部４８ａ又は右背面フラップ部４８ｂの一方のみの角度を調整できるので、一体となっているものと比べて使い勝手がよくなる。
【０１０１】
図９は、図８で示したガスレンジ用トッププレート覆いの背面フラップ部の各々を立ち上げた状態を示すＩＸ−ＩＸラインの矢視図である。
【０１０２】
上述したように、トッププレート覆い部１１の後縁１３は、トッププレート覆い部１１の後縁１３の中央に向かって後方に角度θ傾斜している山形状のものである。
【０１０３】
図を参照して、そのため、背面フラップ部１８の左背面フラップ部４８ａ及び右背面フラップ部４８ｂの双方を上方に立ち上げると、左背面フラップ部４８ａ及び右背面フラップ部４８ｂの各々の面はやや内側を向くことになる。すると、左背面フラップ部４８ａ及び右背面フラップ部４８ｂのスリット２１側の一部が互いに重なり合う。
【０１０４】
このように、左背面フラップ部４８ａ及び右背面フラップ部４８ｂのスリット２１に隙間ができにくくなるため、そこに汚れが侵入することを防止できる。
【０１０５】
尚、上記の各実施の形態では、左右余剰フラップ部の各々は、背面フラップ部の左右側縁の各々の全域に接続される構成であったが、これに限らない。背面フラップ部の左右側縁の各々の少なくとも一部に左右余剰フラップ部の各々が折り曲げ自在に接続されている構成であればよい。
【０１０６】
又、上記の各実施の形態では、左右余剰フラップ部の各々は、矩形シート形状を有する構成であったが、これに限らない。左右余剰フラップ部を裏面側に折り曲げることで背面フラップ部の形態保持性が高まるものであれば、半円シート形状等、他のシート形状のものであってもよい。
【０１０７】
更に、上記の各実施の形態では、設置時における背面フラップ部は、上方フラップ部が裏面側に折り返された後に、左右余剰フラップ部が上方フラップ部の一部と共に背面側に折り返されて形成されている構成であったが、これに限らない。例えば、背面フラップ部は、まず左右余剰フラップ部が裏面側に折り返された後に、上方フラップ部が左右余剰フラップ部の一部と共に裏面側に折り返されて形成されているものであってもよい。
【０１０８】
更に、上記の各実施の形態では、トッププレート覆い部の右側縁全域及び左側縁全域の双方に折り曲げ自在に接続された矩形シート状の側面フラップ部を備える構成であったが、少なくともどちらか一方に備えていればよい。このように構成すると、トッププレートの左右側への少なくとも一方の汚れが側面フラップ部によって均一に保護されるため、左右側への少なくとも一方の汚れ防止効果が向上する。
【０１０９】
更に、上記の各実施の形態では、背面フラップ部、側面フラップ部、左右余剰フラップ部、上方フラップ部の各々は、罫線を介して折り曲げ自在に形成されていたが、罫線はなくてもよい。又、単なる折り目等他の方法によるものであってもよい。
【０１１０】
更に、上記の各実施の形態では、背面フラップ部には左右余剰フラップ部と上方フラップ部が設けられた構成であったが、背面フラップ部のみの構成であってもよい。
【０１１１】
更に、上記の各実施の形態では、図１及び図８で示すように、側面フラップ部には固定手段である両面テープ３５ａ〜３５ｆを備えた構成であったが、固定手段は他の方法によるものであってもよい。又、固定手段はなくてもよい。
【０１１２】
更に、上記の第１の実施の形態では、図１で示すように、背面フラップ部には固定手段である両面テープ３６を備えた構成であったが、固定手段は他の方法によるものであってもよい。又、固定手段はなくてもよい。
【０１１３】
更に、上記の第１の実施の形態では、トッププレート覆い部、背面フラップ部、側面フラップ部の各々はそれぞれ矩形シート状のものであったが、これに限らない。設置するガスレンジのトッププレートの全面を覆うと共に奥側と左右側への汚れを防止できるものであれば、他のシート状のものであってもよい。
【０１１４】
更に、上記の各実施の形態では、貫通口は横長楕円形状であったが、これに限らない。ガスレンジ用トッププレート覆いをガスレンジに設置した際に、貫通口が平面投影視においてグリル排気口の外縁内に含まれるものであれば、他の形状であってもよい。
【０１１５】
更に、上記の各実施の形態では、ガスレンジ用トッププレート覆いが載置されるガスレンジにはグリル排気口が形成されているものであったが、このグリル排気口はなくてもよい。その場合、トッププレート覆い部には、グリル排気口に対応する開口を形成するための貫通口が形成されていなくてよい。
【０１１６】
更に、上記の各実施の形態では、ガスレンジ用トッププレート覆いは、不燃紙の両面にアルミニウム箔を貼り合わせたものから構成されていたが、可撓性及び保形性を有するものであれば、１枚の金属箔や他の素材からなるものであってもよい。
【０１１７】
更に、上記の各実施の形態では、背面フラップ部は、トッププレート覆い部の後縁に対応する罫線に沿って折り曲げる構成であったが、これに限らない。例えば、背面フラップ上であって、トッププレート覆い部の後縁と平行な位置で折り曲げるような構成であってもよい。この場合、左右余剰フラップ部を背面フラップ部の裏面側に折り曲げることによって、背面フラップ部の左右側縁の折り曲げ剛性が向上しているため、背面フラップ部を折り曲げた際の保形性がより高くなる。
【０１１８】
更に、上記の各実施の形態では、バーナー部に対応する開口は円形状に形成されるものであったが、これに限らない。ガスレンジ用トッププレート覆いをガスレンジに設置した際に、開口が平面投影視においてバーナー部の周縁内に含まれるものであれば、他の形状のものであってもよい。又、切込みや罫線等の開口の目印になるようなものを設けたものであってもよい。更に、開口や目印等を予め設けていないものであってもよい。これらの場合は、設置時にトッププレート覆い部の一部をバーナー部の周縁に合わせて切り取り、開口を形成することになるので、より幅広い種類のガスレンジに適用できる。
【符号の説明】
【０１１９】
１０…ガスレンジ用トッププレート覆い
１１…トッププレート覆い部
１３…後縁
１４ａ…左側縁
１４ｂ…右側縁
１５ａ、１５ｂ…側面フラップ部
１６ａ、１６ｂ…左右外縁
１８…背面フラップ部
２１…スリット
２３…上縁
２４ａ、２４ｂ…左右側縁
２５ａ、２５ｂ…左右余剰フラップ部
２６ａ、２６ｂ…外縁
２８ａ、２８ｂ…上縁
３５ａ〜３５ｆ、３６…両面テープ
３８…上方フラップ部
３９…貫通口
４８ａ…左背面フラップ部
４８ｂ…右背面フラップ部
９０…ガスレンジ
９１…トッププレート
９６ａ、９６ｂ…グリル排気口
１０３、１０４…壁面
１０５…調理台
尚、各図中同一符号は同一又は相当部分を示す。
【図１】
2019045030.tif 000003
【図２】
2019045030.tif 000004
【図３】
2019045030.tif 000005
【図４】
2019045030.tif 000006
【図５】
2019045030.tif 000007
【図６】
2019045030.tif 000008
【図７】
2019045030.tif 000009
【図８】
2019045030.tif 000010
【図９】
2019045030.tif 000011
【図１０】
2019045030.tif 000012
【図１１】
2019045030.tif 000013
【図１２】
2019045030.tif 000014
【図１３】
2019045030.tif 000015